(57)【要約】  メッシュ形状の導体層と、プレーン形状の導体層と、その間に挟まれた誘導体層からなる電磁波伝播シートにおいて、メッシュ形状の導体層とプレーン形状の導体層は、電磁波伝播シートの端部においてショート導体によって電気的に接続されており、メッシュ形状の導体層を構成するメッシュ形状導体が電磁波伝播シート端部近傍でメアンダ形状となっている電磁波伝播シート。
2013011801.tif 000002
【特許請求の範囲】
【請求項１】
メッシュ形状の導体層と、プレーン形状の導体層と、その間に挟まれた誘導体層からなる電磁波伝播シートにおいて、  
前記メッシュ形状の導体層と前記プレーン形状の導体層は、前記電磁波伝播シートの端部においてショート導体によって電気的に接続されており、前記メッシュ形状の導体層を構成するメッシュ形状導体が前記電磁波伝播シート端部近傍でメアンダ形状である電磁波伝播シート。
【請求項２】
メッシュ形状の導体層と、プレーン形状の導体層と、その間に挟まれた誘電体層からなる電磁波伝播シートにおいて、  
前記メッシュ形状の導体層と前記プレーン形状の導体層は、前記電磁波伝播シートの端部においてショート導体によって電気的に接続されており、前記メッシュ形状の導体層を構成するメッシュ形状導体が前記電磁波伝播シート端部近傍でスパイラル形状である電磁波伝播シート。
【請求項３】
メッシュ形状の導体層と、プレーン形状の導体層と、その間に挟まれた誘電体層からなる電磁波伝播シートにおいて、
前記メッシュ形状の導体層と前記プレーン形状の導体層は、前記電磁波伝播シートの端部においてショート導体によって電気的に接続されており、前記メッシュ形状の導体層を構成するメッシュ形状導体がシート端部近傍で線幅が細い電磁波伝播シート。
【請求項４】
請求項３に記載の電磁波伝播シートにおいて、前記メッシュ形状導体のシート端部近傍の細線の長さがシートを伝播させる電磁波の４分の１波長より短い電磁波伝播シート。
【請求項５】
請求項３に記載の電磁波伝播シートにおいて、前記メッシュ形状導体のシート端部近傍の細線の長さがシートを伝播させる電磁波の４分の１波長より短い電磁波伝播シート。
【請求項６】
メッシュ形状の導体層と、プレーン形状の導体層と、その間に挟まれた誘電体層からなる電磁波伝播シートにおいて、
前記メッシュ形状の導体層と前記プレーン形状の導体層は、前記電磁波伝播シートの端部においてショート導体によって電気的に接続されており、前記電磁波伝播シート端部近傍に磁性体が塗布された電磁波伝播シート。
【請求項７】
少なくとも１枚の棚板を有する店舗の陳列棚であって、  
請求項１〜請求項６に記載の電磁波伝播シートを前記棚板の前面に実装するの端部においてショート導体によって電気的に接続されており、メッシュ形状の導体層を構成するメッシュ形状導体が電磁波伝播シート端部近傍でメアンダ形状となっている電磁波伝播シート。
【発明の詳細な説明】
【技術分野】
【０００１】
本発明は、電磁波伝播シートに関し、特にシートの幅を狭小化した電磁波伝播シート、及び電磁波伝播シートを実装した陳列棚に関する。
【背景技術】
【０００２】
有線による一次元通信と電波による三次元通信以外の新たな通信形態として、二次元通信が提案され、一部実用化されている。二次元通信システムの基本構成は、電磁波伝播シートと近接カプラから構成されている。近接カプラは、電磁波伝播シートと外部機器との間で電磁波をやり取りするのに使われる電磁結合素子である。二次元通信は、シート上の任意の場所で電磁波の入出力ができるため、有線による通信と比較してケーブルレスのすっきりした作業環境を実現できる。【０００３】
また、二次元通信は、電波による通信と比較すると、電磁波をシート内に閉じ込めるため拡散による損失が少なく省電力となる利点がある。電磁波伝播シートは例えば特許文献１や非特許文献１に開示されているように、誘電体層を導体層２層で挟んだ構成となっており、一方の導体層はプレーン形状、もう一方の導体層はメッシュ形状となっている。シート内を伝播する電磁波はメッシュ形状導体の開口部からエバネッセント波として漏出する。これを利用してシートとカプラの間で電磁波の受け渡しを行う。【０００４】
この二次元通信技術は、通信のみならず電力伝送にも応用可能で、高周波電源により電磁波伝播シート内に高周波電力を注入し、カプラで受電、整流を行うことで電子機器に電力供給を行うことができる。
【先行技術文献】
【特許文献】
【０００５】
【特許文献１】特開２００７−２８１６７８号公報
【非特許文献】
【０００６】
【非特許文献１】篠田裕之ら、「表面マイクロ波を用いた信号と電力の同時伝送法（ユビキタス・センサネットワークを支える理論、および一般）」、社団法人電子情報通信学会技術研究報告 Vol.107, No.53(20070517) pp. 115-118
【発明の概要】
【発明が解決しようとする課題】
【０００７】
従来の電磁波伝播シートにおいては、電磁波伝播シートの端部から電磁波漏洩が発生することを抑制するため、シート端部においてメッシュ形状導体とプレーン形状導体を電気的に接続することが望ましい。このようにシート端部で２導体を接続した構造を以下ではショート端構造と呼ぶ。【０００８】
図９Ａ〜図９Ｃにショート端構造を適用した電磁波伝播シート１０１を示す。電磁波伝播シート１０１は、メッシュ形状導体によって形成された表面導体層１０２、プレーン形状導体によって形成された裏面導体層３、及びこれら導体層の間に挟まれた誘電体層４とからなる３層構造となっている。表面導体層１０２を形成するメッシュ形状導体は直線導体を格子状に配列した形状となっている。
図９Ｂの側面図に示すように、表面導体層１０２を形成するメッシュ形状導体と裏面導体層３を形成するプレーン形状導体は電磁波伝播シート１０１の端部においてショート導体５により接続され、シート端部の４面全てがショート導体５で囲まれている。【０００９】
また、電磁波伝播シートは、マットのような二次元形状で用いることが想定されるが、一次元状のレール形状とすることにより得られるメリットもある。レール形状の電磁波伝播シートは、幅方向への電力拡散が少なく伝送効率の向上が可能であり、また、省スペースとなるため、既存レイアウトの隙間に実装が可能になるなどの利点がある。【００１０】
レール形状の電磁波伝播シートにショート端構造を適用した場合、矩形導波管と同様にカットオフ周波数が存在し、それより低い周波数の電磁波は伝播しない。つまり伝播させたい電磁波の周波数で決まる特定の寸法、すなわちシート伝送路における電磁波の波長の２分の１程度よりもシート幅を短くすることができない。一方向に長いレール状の電磁波伝播シートについて、この制限寸法よりシート幅を狭小化して、実装スペースの小さい電磁波伝播シートが実現できれば、さらに二次元通信システムの応用先が広がると考えられる。【００１１】
この発明は、このような事情を考慮してなされたもので、その目的は、メッシュ形状の導体層と、プレーン形状の導体層と、その間に挟まれた誘導体層からなり、一方向に長いレール状の電磁波伝播シートにおいて、シート幅を狭小化して、実装スペースの小さい電磁波伝播シートとすることによって、二次元通信システムの応用範囲を広げることである。
【課題を解決するための手段】
【００１２】
上記課題を解決するために、本発明に係る電磁波伝播シートは、メッシュ形状の導体層と、プレーン形状の導体層と、その間に挟まれた誘導体層からなる電磁波伝播シートにおいて、前記メッシュ形状の導体層と前記プレーン形状の導体層は、前記電磁波伝播シートの端部においてショート導体によって電気的に接続されており、前記メッシュ形状の導体層を構成するメッシュ形状導体が前記電磁波伝播シート端部近傍でメアンダ形状である。【００１３】
また、本発明に係る電磁波伝播シートは、メッシュ形状の導体層と、プレーン形状の導体層と、その間に挟まれた誘電体層からなる電磁波伝播シートにおいて、前記メッシュ形状の導体層と前記プレーン形状の導体層は、前記電磁波伝播シートの端部においてショート導体によって電気的に接続されており、前記メッシュ形状の導体層を構成するメッシュ形状導体が前記電磁波伝播シート端部近傍でスパイラル形状である。【００１４】
また、本発明に係る電磁波伝播シートは、メッシュ形状の導体層と、プレーン形状の導体層と、その間に挟まれた誘電体層からなる電磁波伝播シートにおいて、前記メッシュ形状の導体層と前記プレーン形状の導体層は、前記電磁波伝播シートの端部においてショート導体によって電気的に接続されており、前記メッシュ形状の導体層を構成するメッシュ形状導体がシート端部近傍で線幅が細くなっている。【００１５】
さらに、本発明に係る電磁波伝播シートは、メッシュ形状の導体層と、プレーン形状の導体層と、その間に挟まれた誘電体層からなる電磁波伝播シートにおいて、前記メッシュ形状の導体層と前記プレーン形状の導体層は、前記電磁波伝播シートの端部においてショート導体によって電気的に接続されており、前記電磁波伝播シート端部近傍に磁性体が塗布されている。
【発明の効果】
【００１６】
本発明に係わる電磁波伝播シートによれば、メッシュ形状の導体層と、プレーン形状の導体層と、その間に挟まれた誘導体層からなる電磁波伝播シートにおいて、シート端部近傍の強磁界領域のインダクタンスが大きくなるため、シート伝送路の電磁波の波長短縮効果が得られる。この作用により電磁波伝播シートにおいてシートに伝播させたい電磁波の周波数から決まる特定の寸法よりもシート幅を狭小化することが可能となる。
【図面の簡単な説明】
【００１７】
【図１Ａ】本発明の第１の実施形態に係る電磁波伝播シートの三面図を示す。
【図１Ｂ】本発明の第１の実施形態に係る電磁波伝播シート（図１Ａ）におけるＡ−Ａ断面図である。
【図１Ｃ】本発明の第１の実施形態に係る電磁波伝播シート（図１Ａ）におけるＢ矢視図である。
【図２】第１の実施形態の別形態を示す平面図である。
【図３Ａ】本発明の第２の実施形態に係る電磁波伝播シートの三面図である。
【図３Ｂ】本発明の第２の実施形態に係る電磁波伝播シート（図３Ａ）におけるＣ−Ｃ断面図である。
【図４】本発明の第４の実施形態に係る電磁波伝播シートを示す平面図である。
【図５】第４の実施形態に係る電磁波伝播シートの波長短縮効果についてシミュレーションを示すグラフである。
【図６】本発明の第５の実施形態に係る電磁波伝播シートの応用例を示す側面図である。
【図７Ａ】本発明の電磁波伝播シートが適用される棚板の斜視図である。
【図７Ｂ】本発明の電磁波伝播シートが適用される棚板の側面図である。
【図７Ｃ】本発明の電磁波伝播シートが適用される陳列棚の斜視図である。
【図８】本発明の第５の実施形態に係る電磁波伝播シートの応用例の別形態を示す斜視図である。
【図９Ａ】従来の電磁波伝播シートを示す三面図である。
【図９Ｂ】従来の電磁波伝播シート（図９Ａ）におけるＤ−Ｄ断面図である。
【図９Ｃ】従来の電磁波伝播シート（図９Ａ）におけるＥ矢視図である。
【図１０Ａ】従来の電磁波伝播シートにおける斜視図である。
【図１０Ｂ】従来の電磁波伝播シートにおける側面図である。
【発明を実施するための形態】
【００１８】
［第１の実施形態］
以下、本発明の実施形態について図面を参照して詳細に説明する。
図１Ａ〜図１Ｃは、本発明を実施するための第１の実施形態を示した図である。電磁波伝播シート１は、平面視矩形の板状シートであり、メッシュ形状導体５によって形成された表面導体層２、プレーン形状導体６によって形成された裏面導体層３、及びこれら導体層の間に挟まれた誘電体層４で構成されている。誘電体層４は、例えばポリマーの発泡体を用いることができる。
【００１９】
図１Ｂの側面図に見られるように、表面導体層２を形成するメッシュ形状導体５と裏面導体層３を形成するプレーン形状導体６は、電磁波伝播シート１の端部でショート導体７により接続され、シート端部の４面全てがショート導体７で囲まれている。ショート端構造は、導電性テープの貼付けや導電性塗料の塗布により実現可能である。
【００２０】
メッシュ形状導体５は、直線導体８を格子状に配列した形状となっているが、直線導体８のシート端部の近傍においては、ジグザグしたメアンダ形状のメアンダ形状導体９となっており、このメアンダ形状導体９がショート導体７と接続されている。なお、メアンダ形状とは、限られたスペースに一定の実効長を有するアンテナを収容するために、その一部または全部をジグザグ上に構成したような形状のことをいう。
【００２１】
第１の実施形態では、シート長辺近傍の全てのメッシュ形状導体５の先端がメアンダ形状とされており、メアンダ形状導体９の配置間隔はメッシュ形状導体５を構成する直線導体８の配置間隔と等しくされている。ただし、メアンダ形状導体９の配置間隔はこれに限ることはなく、図２に示すように、メアンダ形状導体９を直線導体８の配置間隔の２倍（整数倍）で配置した電磁波伝播シート１Ｂとしてもよいし、この間隔にこだわらない。
【００２２】
このように、表面導体層２を形成するメッシュ形状導体５のシート端部近傍をメアンダ形状とすることで、シート端部近傍の強磁界領域のインダクタンスが大きくなるため、シート伝送路の電磁波の波長短縮効果が得られる。この作用により一方向に長いレール状の電磁波伝播シート１においてシートに伝播させたい電磁波の周波数から決まる特定の寸法よりもシート幅を狭小化することが可能となる。
【００２３】
［第２の実施形態］
図３Ａ及び図３Ｂは、本発明を実施するための第２の実施形態に係る電磁波伝播シート１Ｃを示した図である。第２の実施形態の電磁波伝播シート１Ｃが第１の実施形態の電磁波伝播シート１と異なる点は、表面導体層２Ｃと裏面導体層３の間に中間導体層１１を設けた点である。また、表面導体層２Ｃのメッシュ形状導体５Ｃは、直線導体８を格子状に配列した形状となっているが、シート端部の近傍においてはスパイラル形状のスパイラル形状導体１２とされている。
【００２４】
スパイラル形状導体１２の先端は中間導体層１１の導体パターン１３とビアなどの導体で接続され、さらに中間導体層１１の導体パターン１３はシート端部のショート導体７と接続されている。図３Ａではシート長辺近傍のメッシュ形状導体５Ｃの先端をすべてスパイラル形状としており、スパイラル形状導体１２の配置間隔がメッシュ形状導体５Ｃの直線導体８の配置間隔と等しくなっているが、直線導体８の配置間隔の２倍の間隔で配置してもよいし、この間隔にこだわらない。
【００２５】
このように、表面導体層２Ｃを形成するメッシュ形状導体のシート端部近傍をスパイラル形状とすることで、シート端部近傍の強磁界領域のインダクタンスが大きくなるため、シート伝送路の電磁波の波長短縮効果が得られる。この作用により一方向に長いレール状の電磁波伝播シート１Ｃにおいてシートに伝播させたい電磁波の周波数から決まる特定の寸法よりもシート幅を狭小化することが可能となる。
【００２６】
［第３の実施形態］
第３の実施形態では、第１の実施形態において、メッシュ形状導体のシート端部近傍をメアンダ形状としていたものを、メッシュ形状導体の直線導体よりも細い線幅の導体としたものとする。即ち、メッシュ形状導体の直線導体をシート端部近傍において細線とすることを特徴とする。
【００２７】
ここで、細線導体はショート導体からの長さがλ／４より短いことが求められる。何故ならば、細線導体部分の特性インピーダンスをＺ０、細線の長さをｌ、線路における波長λとしたとき、メッシュ導体側からショート端側を見た細線の入力インピーダンスＺｉｎは以下の式（１）で表され、インダクタンスとして作用するのは、
mλ／２＜ｌ＜（ｍλ／２＋λ／４）  の範囲である。ただし、m＝整数とする。
【００２８】
【数１】
2013011801.tif 000003
【００２９】
このように細線導体を設定することで、ショート端近傍の強磁界領域のインダクタンスが大きくなり波長短縮効果が得られ、シート幅を狭小化することが可能となる。
【００３０】
［第４の実施形態］
図４は、本発明を実施するための第４の実施形態を示した図である。第４の実施形態に係る電磁波伝播シート１Ｄは、シート端部近傍に磁性体１５を塗布することを特徴とする。すなわち、第１の実施形態で示したメアンダ形状導体９の上や、第２の実施形態で示したスパイラル形状導体１２の上や、第３の実施形態で示した細線導体の上や、従来の電磁波伝播シートのシート端部近傍に磁性体１５を塗布することを特徴とする。塗布する磁性体は例えばフェライトなどが考えられる。
【００３１】
このように、シート端部近傍に磁性体１５を塗布することでショート端近傍の強磁界領域のインダクタンスがさらに大きくなるため、シート伝送路の電磁波の波長短縮効果がより大きく現れる。参考までに、波長短縮効果についてシミュレーションで確認した結果を図５に示す。電磁波伝播シート１Ｄの長辺方向の両端面近傍に給電点を設け伝送特性を調べた。
【００３２】
メッシュ形状導体のシート端部近傍に磁性体を塗布したシート（「通常メッシュ＋磁性体」）、磁性体を塗布していないシート（図９、「通常メッシュ」）、メッシュ形状導体のシート端部近傍をメアンダ形状として磁性体を塗布したシート（図４、「メアンダ＋磁性体」）の３種類の評価モデルについて伝送特性を検証した。
その結果、磁性体を塗布することによりカットオフ周波数（減衰量が大きくなり電磁波が伝播しなくなる周波数）が低周波側にシフトしていることが確認できる。これは、磁性体を塗布することによりシートを伝播する電磁波の波長短縮が大きくなることを示している。また、シート端部をメアンダ形状とすることによる波長短縮が大きいことも確認できる。
【００３３】
この作用により一方向に長いレール状の電磁波伝播シートにおいてシートに伝播させたい電磁波の周波数から決まる特定の寸法よりもシート幅を狭小化することが可能となる。
【００３４】
［第５の実施形態］
図６は、本発明を実施するための第５の実施形態を示した図である。これは、第１の実施形態から第４の実施形態で示した電磁波伝播シートの応用例を示している。
【００３５】
スーパーマーケットやコンビニエンスストアなどの店舗では、図７Ｃに示すような陳列棚３０を用いて商品を陳列している。陳列棚３０には、図７Ａ、図７Ｂに示すような棚板３１が複数枚設置されており、それぞれの棚板３１の前面には値札を設置するためのプライスレール３２がついている。また、商品が陳列棚３０から落ちないように、手すりと呼ばれる金属ワイヤでできた柵３３が取り付け可能となっている。
図６に示すように、この棚板３１に電磁波伝播シート１を実装することによって、近接カプラを搭載した電子機器への電力供給や電子機器間の通信を実現することができる。
【００３６】
図１０Ａ及び図１０Ｂは、従来の電磁波伝播シート１０１を陳列棚の棚板３１に適用した例を示した図である。図１０Ａ及び図１０Ｂに示すように、棚板３１に電磁波伝播シート１０１を実装し、近接カプラを搭載した電子機器への電力供給や電子機器間の通信を実現することができる。棚板３１に電磁波伝播シート１０１を実装する際には、シートの上下導体層を保護するために最外層に誘電体層を形成したほうがよい。図１０Ａ及び図１０Ｂに示すように、電磁波伝播シート１０１をプラスティックなどでできたシートホルダ３４で保持して、柵３３にこのシートホルダ３４を引っ掛けることで棚板３１の前面への実装を可能にしている。電磁波伝播シート１０１は、棚板３１の高さに加えて、柵３３の高さまで覆う幅を有している。
【００３７】
一方、図６に示すように、本発明の電磁波伝播シート１を用いることで、シートの実装高さが低く抑えられる（シート幅が狭くできる）。即ち、従来、例えば図１０のように柵３３の高さまで電磁波伝播シート１０１が覆っていたのに対し、本発明の電磁波伝播シート１を用いることで、電磁波伝播シート１の高さを例えばプライスレール３２の高さまで抑えることができる。
【００３８】
標準的な柵３３の高さとプライスレール３２の高さはそれぞれ３０ｍｍ程度である。シミュレーションによる結果の１例を示すと、ある構成（特定の材料定数や寸法）の電磁波伝播シートにおいて２．４ＧＨｚ帯の電磁波を利用して電力伝送や通信を行う場合、図１０Ａ及び図１０Ｂに示すような従来の電磁波伝播シート１０１を用いると、電磁波伝播シート１０１の幅（シートが陳列棚３０を覆う高さ）は例えば６０ｍｍの幅となる。
【００３９】
これに対し、本発明の電磁波伝播シート１を適用することで３０ｍｍ程度までシート幅を狭く（シート高さを低く）抑えることが可能となる。この計算での磁性体の比透磁率は５０程度とした。このように、本発明を適用することで、棚板３１に陳列されている商品の見通しが良くなり、顧客の購買意欲を向上させることが可能となる。なお、図６では、電磁波伝播シート１をシートホルダ３４で棚板３１に実装したが、図８に示すように、電磁波伝播シート１を棚板３１の前面に接着剤などで直接貼り付けてもよい。
【００４０】
本願は、２０１１年７月２１日に、日本に出願された特願２０１１−１５９５６５号に基づき優先権を主張し、その内容をここに援用する。
【産業上の利用可能性】
【００４１】
本発明に係わる電磁波伝播シートは、シート幅を狭小化して、実装スペースの小さい電磁波伝播シートを提供することができる。
【符号の説明】
【００４２】
１    電磁波伝播シート
２    表面導体層（メッシュ形状の導体層）
３    裏面導体層（プレーン形状の導体層）
４    誘電体層
７    ショート導体
１５    磁性体
３０    陳列棚
３１    棚板
【図１Ａ】
2013011801.tif 000004
【図１Ｂ】
2013011801.tif 000005
【図１Ｃ】
2013011801.tif 000006
【図２】
2013011801.tif 000007
【図３Ａ】
2013011801.tif 000008
【図３Ｂ】
2013011801.tif 000009
【図４】
2013011801.tif 000010
【図５】
2013011801.tif 000011
【図６】
2013011801.tif 000012
【図７Ａ】
2013011801.tif 000013
【図７Ｂ】
2013011801.tif 000014
【図７Ｃ】
2013011801.tif 000015
【図８】
2013011801.tif 000016
【図９Ａ】
2013011801.tif 000017
【図９Ｂ】
2013011801.tif 000018
【図９Ｃ】
2013011801.tif 000019
【図１０Ａ】
2013011801.tif 000020
【図１０Ｂ】
2013011801.tif 000021
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
メッシュ形状の導体層と、プレーン形状の導体層と、その間に挟まれた誘導体層からなる電磁波伝播シートにおいて、
前記メッシュ形状の導体層と前記プレーン形状の導体層は、前記電磁波伝播シートの端部においてショート導体によって電気的に接続されており、前記メッシュ形状の導体層を構成するメッシュ形状導体が前記電磁波伝播シート端部近傍でメアンダ形状である電磁波伝播シート。
【請求項２】
メッシュ形状の導体層と、プレーン形状の導体層と、その間に挟まれた誘電体層からなる電磁波伝播シートにおいて、
前記メッシュ形状の導体層と前記プレーン形状の導体層は、前記電磁波伝播シートの端部においてショート導体によって電気的に接続されており、前記メッシュ形状の導体層を構成するメッシュ形状導体が前記電磁波伝播シート端部近傍でスパイラル形状である電磁波伝播シート。
【請求項３】
メッシュ形状の導体層と、プレーン形状の導体層と、その間に挟まれた誘電体層からなる電磁波伝播シートにおいて、
前記メッシュ形状の導体層と前記プレーン形状の導体層は、前記電磁波伝播シートの端部においてショート導体によって電気的に接続されており、前記メッシュ形状の導体層を構成するメッシュ形状導体がシート端部近傍で他の部分よりも線幅が細くなっている電磁波伝播シート。
【請求項４】
請求項３に記載の電磁波伝播シートにおいて、前記メッシュ形状導体のシート端部近傍の細線の長さがシートを伝播させる電磁波の４分の１波長より短い電磁波伝播シート。
【請求項５】
請求項３に記載の電磁波伝播シートにおいて、前記メッシュ形状導体のシート端部近傍の細線の長さがシートを伝播させる電磁波の４分の１波長より短い電磁波伝播シート。
【請求項６】
メッシュ形状の導体層と、プレーン形状の導体層と、その間に挟まれた誘電体層からなる電磁波伝播シートにおいて、
前記メッシュ形状の導体層と前記プレーン形状の導体層は、前記電磁波伝播シートの端部においてショート導体によって電気的に接続されており、前記電磁波伝播シート端部近傍にのみ磁性体が塗布されている電磁波伝播シート。
【請求項７】
少なくとも１枚の棚板を有する店舗の陳列棚であって、
請求項１〜請求項６に記載の電磁波伝播シートを前記棚板の前面に実装するの端部においてショート導体によって電気的に接続されており、メッシュ形状の導体層を構成するメッシュ形状導体が電磁波伝播シート端部近傍でメアンダ形状となっている電磁波伝播シート。
【手続補正２】
【補正対象書類名】明細書
【補正対象項目名】００１４
【補正方法】変更
【補正の内容】
【００１４】
また、本発明に係る電磁波伝播シートは、メッシュ形状の導体層と、プレーン形状の導体層と、その間に挟まれた誘電体層からなる電磁波伝播シートにおいて、前記メッシュ形状の導体層と前記プレーン形状の導体層は、前記電磁波伝播シートの端部においてショート導体によって電気的に接続されており、前記メッシュ形状の導体層を構成するメッシュ形状導体がシート端部近傍で他の部分よりも線幅が細くなっている。
【手続補正３】
【補正対象書類名】明細書
【補正対象項目名】００１５
【補正方法】変更
【補正の内容】
【００１５】
さらに、本発明に係る電磁波伝播シートは、メッシュ形状の導体層と、プレーン形状の導体層と、その間に挟まれた誘電体層からなる電磁波伝播シートにおいて、前記メッシュ形状の導体層と前記プレーン形状の導体層は、前記電磁波伝播シートの端部においてショート導体によって電気的に接続されており、前記電磁波伝播シート端部近傍にのみ磁性体が塗布されている。
【国際調査報告】
2013011801.tif 000022
2013011801.tif 000023
2013011801.tif 000024
2013011801.tif 000025